(57)【要約】      （修正有）【課題】吊り下げ長さを簡易に調整できるストラップを提供する。【解決手段】可撓性紐体を二つ折りした吊り紐体２と、その二つ折りした２本の紐体を更に二つ折りしてできる４本の紐体を胴体に穿設した貫通孔に挿通させた状態で４本の紐体上を摺動し、駐止位置にて４本の紐体の締め付け固定と、その解除が可能な締め具３を備えて構成する。紐体を二度目の二つ折り側端と締め具との間にできる二つの紐の輪に携行品の被吊持部を挿入し、締め具を携行品の被吊持部側に摺動させて被吊持部を締め付けてその位置の４本の紐体を締め付け固定させる。その状態にて最初に二つ折りした側の輪状紐体を吊持部とする。【選択図】図６
0003137706.tif 000002
【実用新案登録請求の範囲】
【請求項１】
携行品を吊持するためのストラップであって、可撓性紐体を二つ折りした吊り紐体と、
その二つ折りした２本の紐体を更に二つ折りしてできる４本の紐体を胴体に穿設した貫通孔に挿通させた状態で４本の紐体上を摺動し、駐止位置にて４本の紐体の締め付け固定と、その解除が可能な締め具を備えて構成されており、
前記紐体の二度目の二つ折り側端と前記締め具との間にできる二つの紐体の輪に携行品の被吊持部を挿入し、
その状態にて前記締め具を携行品の被吊持部側に摺動させて被吊持部を締め付けた状態でその位置の４本の紐体を締め付け固定させ、
その状態にて最初の二つ折り側の輪状紐体を吊持部として携行品を吊持する使い方をするストラップ。
【請求項２】
ストラップ取付孔を有する携行品を吊持するためのストラップであって、
可撓性紐体を二つ折りした吊り紐体と、
その二つ折りした２本の紐体を更に二つ折りしてできる４本の紐体を胴体に穿設した貫通孔に挿通させた状態で４本の紐体上を摺動し、駐止位置にて４本の紐体の締め付け固定と、その解除が可能な締め具を備えて構成されており、
前記最初の二つ折り側の２本の紐体を前記締め具の貫通孔、携行品の前記ストラップ取付孔の順に挿通させた後、更にその挿通させた２本の紐体を前記締め具の貫通孔に最初とは反対側から挿通させ、
その状態にて前記締め具を携行品のストラップ取付孔側に摺動させてその位置の４本の紐体を締め付け固定させ、
その状態にて最初の二つ折り側の輪状紐体を吊持部として携行品を吊持する使い方をするストラップ。
【請求項３】
請求項２に記載のストラップにおいて、落下防止用のクリップを更に備え、該クリップはストラップを携行品に取り付けた後に前記吊持部に取り付ける使い方をすることを特徴とするストラップ。
【請求項４】
携行品を吊持するためのストラップであって、一端に外れ止め付フックを取り付けた可撓性の紐体と、
その紐体を二つ折りした２本の紐体を胴体に穿設した貫通孔に挿通させた状態で２本の紐体上を摺動し、駐止位置にて２本の紐体の締め付け固定と、その固定の解除が可能な締め具を備えて構成されており、
前記紐体の二つ折り側端と前記締め具との間にできる紐体の輪に携行品の被吊持部を挿入し、
その状態にて前記締め具を携行品の被吊持部側に摺動させて被吊持部を締め付けた状態でその位置の２本の紐体を締め付け固定させ、
その状態にて前記外れ止め付フックを鞄、リュック等に設けられた引掛部に掛着させて携行品を吊持する使い方をするストラップ。
【請求項５】
ストラップ取付孔を有する携行品を吊持するためのストラップであって、
一端に落下防止用のクリップを取り付けた可撓性の吊り紐体と、
その吊り紐体を二つ折りしてできる２本の紐体を胴体に穿設した貫通孔に挿通させた状態で２本の紐体上を摺動し、駐止位置にて２本の紐体の締め付け固定と、その解除が可能な締め具を備えて構成されており、
前記吊り紐体の他端側を前記締め具の貫通孔、携行品の前記ストラップ取付孔の順に挿通させた後、更に前記締め具の貫通孔に最初とは反対側から挿通させ、
挿通後に端部に結び目を形成し、
その状態にて前記締め具を携行品のストラップ取付孔側に摺動させてその位置の２本の紐体を締め付け固定させ、
その状態にて前記クリップを衣服等の一部に挟着して携行品の落下防止を図る使い方をするストラップ。
【考案の詳細な説明】
【技術分野】
【０００１】
本考案は、携行品を吊り下げ携帯するためのストラップに関し、特には飲料水の入ったペットボトルや携帯電話機等の携行品を吊り下げ携帯するのに好適なストラップに関する。
【背景技術】
【０００２】
近年、ミネラルウォータ、お茶、ジュース等の飲料水がペットボトルと呼ばれる飲料容器に入れられて大量に市販されている。このペットボトルは飲み口にネジ式のキャップが取り付けられており、飲み残した場合には飲み口をキャップで再び封じて保管することができる。こうした飲み残し処理の容易さから飲料水の入ったペットボトルを水筒代わりに持ち歩く人が増えている。
【０００３】
しかし、ペットボトルは手で持って携帯するには不便であり、鞄やリュック等に収納するのでは嵩張る上、必要時に手軽に飲むことができない。そのためペットボトルの首部分にストラップを取り付けて鞄やリュックに吊り下げたり、取り付けたストラップを手で持ったり肩に掛けたりして携帯されており、そうした用途に使用するストラップが各種提案されている（特許文献１〜４参照）。
【０００４】
図２０は、そうした用途に使用される従来のストラップの例である（特許文献１参照）。このストラップ５０は弾性紐からなる環状のループ体５１に、そのループ体５１上を摺動して所定の位置で駐止し、その位置で弾性紐どうしを短絡してループ体５１に８の字を構成させる締め具５２が取り付けてある。このストラップ５０を用いてボトル５３を吊り下げる際は、８の字状の一方の環を二重輪にしてボトル５３の首部に繋止させ、その状態で締め具５２を移動させて環を縮める。これにより弾性紐が首部を締め付けてストラップ５０がボトル５３に固定されるので、ループ体５１の他方の環を把持してボトル５３を吊り下げる。
【０００５】
しかし、このような構成のストラップ５０では、吊持部となる環の大きさがループ体５１の長さにより決まる。そのためボトル５３を吊り下げたときの吊り下げ長さを調整できない。また、ループ体５１の全長が決まっているため、例えば、ボトル５３の胴部で吊り下げた場合には被吊持部の周長の違いから吊り下げ長さが変化してしまう。そのため被吊持部の周長と、希望する吊り下げ長さに合わせてループ体５１の吊り下げ部の中間に結び目を作ったり、手に二重に巻き付けたりして吊り下げ長さを調整しなければならない不便さがある。
【０００６】
また、携帯電話機には通常、吊り下げ用のストラップが取り付けられるが、従来のストラップは吊り下げ部の紐の長さが固定されているものが殆どである。そのため手に持ったり、首から吊り下げたり、鞄などに吊り下げ収納したりする場合等に合わせて紐を最適長さに調整することができない。ゼンマイバネを使用して紐の長さを可変できるようにしたストラップも提案（特許文献５参照）されているが、構成が複雑であり見た目も良くない。
【特許文献１】特開２０００−０００１１３号公報
【特許文献２】特開２０００−２３８７８３号公報
【特許文献３】特開２０００−００６９７４号公報
【特許文献４】特開２０００−０６２７８３号公報
【特許文献５】特開２００３−００９９３２号公報
【考案の開示】
【考案が解決しようとする課題】
【０００７】
本考案は、従来技術のこうした問題点を解決するためになされたもので、その課題は
携行品の被吊持部を紐体で締め付け、その紐体の残余部を吊持部として手で把持したり、鞄、リュック等に吊り下げたりして携行品を携帯するためのストラップであって、吊持部の紐の長さを任意に調整することができ、且つ、その長さが携行品の被吊持部の周長に影響されないストラップを提供することにある。
【課題を解決するための手段】
【０００８】
前記課題を解決するための請求項１に記載の考案は、携行品を吊持するためのストラップであって、可撓性紐体を二つ折りした吊り紐体と、その二つ折りした２本の紐体を更に二つ折りしてできる４本の紐体を胴体に穿設した貫通孔に挿通させた状態で４本の紐体上を摺動し、駐止位置にて４本の紐体の締め付け固定と、その解除が可能な締め具を備えて構成されており、紐体の二度目の二つ折り側端と締め具との間にできる二つの紐体の輪に携行品の被吊持部を挿入し、その状態にて締め具を携行品の被吊持部側に摺動させて被吊持部を締め付けた状態でその位置の４本の紐体を締め付け固定させ、その状態にて最初の二つ折り側の輪状紐体を吊持部として携行品を吊持する使い方をするストラップである。
【０００９】
このような構成のストラップでは、最初の二つ折り端を含む吊持部の紐の長さを携帯に適した長さに調整することができる。従って、ペットボトルなどの携行品の携帯の仕方、即ち、吊り紐体を手に持って携帯するか、首に掛けて携帯するか、鞄やリュック等に吊り下げて携帯するか等に合わせてその長さを自由に調整できる利点を有する。また、携行品の被吊持部の周長が異なっても、吊持部である最初の二つ折り端を含む紐の長さを被吊持部の周長に無関係に調整することができる。
【００１０】
また、請求項２に記載の考案は、ストラップ取付孔を有する携行品を吊持するためのストラップであって、可撓性紐体を二つ折りした吊り紐体と、その二つ折りした２本の紐体を更に二つ折りしてできる４本の紐体を胴体に穿設した貫通孔に挿通させた状態で４本の紐体上を摺動し、駐止位置にて４本の紐体の締め付け固定と、その解除が可能な締め具を備えて構成されており、最初の二つ折り側の２本の紐体を締め具の貫通孔、携行品のストラップ取付孔の順に挿通させた後、更にその挿通させた２本の紐体を締め具の貫通孔に最初とは反対側から挿通させ、その状態にて締め具を携行品のストラップ取付孔側に摺動させてその位置の４本の紐体を締め付け固定させ、その状態にて最初の二つ折り側の輪状紐体を吊持部として携行品を吊持する使い方をするストラップである。
【００１１】
このような構成のストラップは、携行品の吊り下げ長さを任意に調整することができる。従って、吊り下げの長さを携帯の仕方に合わせた好みの長さにすることができる利点を有する。
【００１２】
また、請求項３に記載の考案は、請求項２に記載のストラップにおいて、落下防止用のクリップを更に備え、そのクリップはストラップを携行品に取り付けた後に吊持部に取り付ける使い方をすることを特徴とするストラップである。
【００１３】
このようなクリップを取り付けてあればクリップを衣服のポケットの端等に挟着させておくことで、携行品の落下や紛失を防止することができる。
【００１４】
また、請求項４に記載の考案は、携行品を吊持するためのストラップであって、一端に外れ止め付フックを取り付けた可撓性の紐体と、その紐体を二つ折りした２本の紐体を胴体に穿設した貫通孔に挿通させた状態で２本の紐体上を摺動し、駐止位置にて２本の紐体の締め付け固定と、その固定の解除が可能な締め具を備えて構成されており、紐体の二つ折り側端と締め具との間にできる紐体の輪に携行品の被吊持部を挿入し、その状態にて締め具を携行品の被吊持部側に摺動させて被吊持部を締め付けた状態でその位置の２本の紐体を締め付け固定させ、その状態にて外れ止め付フックを鞄、リュック等に設けられた引掛部に掛着させて携行品を吊持する使い方をするストラップである。
【００１５】
このような構成のストラップは外れ止め付フックを備えるため、携行品を鞄、リュック、ベルト等の吊持部に簡単な操作で確実に吊り下げることができる。また、最初の二つ折り端を含む吊持部の長さを吊り下げに適した長さに調整することができる。
【００１６】
また、請求項５に記載の考案は、ストラップ取付孔を有する携行品を吊持するためのストラップであって、一端に落下防止用のクリップを取り付けた可撓性の吊り紐体と、その吊り紐体を二つ折りしてできる２本の紐体を胴体に穿設した貫通孔に挿通させた状態で２本の紐体上を摺動し、駐止位置にて２本の紐体の締め付け固定と、その解除が可能な締め具を備えて構成されており、吊り紐体の他端側を締め具の貫通孔、携行品のストラップ取付孔の順に挿通させた後、更に締め具の貫通孔に最初とは反対側から挿通させ、挿通後に端部に結び目を形成し、その状態にて締め具を携行品のストラップ取付孔側に摺動させてその位置の２本の紐体を締め付け固定させ、その状態にてクリップを衣服等の一部に挟着して携行品の落下防止を図る使い方をするストラップである。
【００１７】
このような構成のストラップは、クリップと携行品との間の紐の長さを任意に調整できる。また、クリップを衣服のポケットの端等に挟着させておくことで携行品の落下や紛失を防止することができる。
【考案を実施するための最良の形態】
【００１８】
以下、本考案に係るストラップの構成と取付方法を実施形態に分けて説明する。
（第１の実施形態）
図１は、第１の実施形態に係るストラップ１の斜視図である。本ストラップ１は、図に示すように可撓性の吊り紐体２と締め具３を備えて構成されている。吊り紐体２は図２に示すように、可撓性の紐体を二つ折りして両端を結ぶ結び目５を形成したものであり、全体として細長い環状を成している。ストラップ１は、その細長い環状の吊り紐体２を中程で更に二つ折りし、折り目側の４本の紐体を締め具３の胴体に穿設した貫通孔６に通したものである。
【００１９】
図３は締め具３の外観、図４は締め具３の縦断面である。図に示すように締め具３は外形が略円柱状をしており、シリンダ体７とピストン体８とコイルスプリング９の３個の部品により構成されている。シリンダ体７は有底円筒状をなしており、その開口端側からは円柱状のピストン体８が頂部８ａを開口端から突出させた状態で挿入されている。コイルスプリング９はシリンダ体７の内底面とピストン体８の底面との間に内装してあり、ピストン体８をシリンダ体７の開口端方向に付勢している。
【００２０】
シリンダ体７の側周部には、吊り紐体２の２度の二つ折りでできた４本の紐体２ａ〜２ｄを軸と直角方向に挿通させる挿通孔７ａが穿設してある。ピストン体８の円柱部にも、４本の紐体２ａ〜２ｄを軸と直角方向に挿通させる挿通孔８ｂが穿設してある。ピストン体８の頂部８ａをコイルスプリング９の付勢力に抗して押圧してピストン体８を押し込むと、シリンダ体７の挿通孔７ａとピストン体８の挿通孔８ｂとが合致して貫通孔６が形成される。その状態で２度の二つ折りでできた４本の紐体２ａ〜２ｄをその貫通孔６に挿通させる。貫通孔６への４本の紐体２ａ〜２ｄの挿通は、図５に示したような細い金属線で製作した割ピン１０を用いるとよい。
【００２１】
ピストン体８の頂部８ａを押圧すると４本の紐体２ａ〜２ｄは遊挿状態となり、締め具３を左右に自由に摺動させることができる。締め具３を駐止させて押圧を止めると、ピストン体８はコイルスプリング９の付勢力によりシリンダ体７の開口端側に移動する。移動により４本の紐体２ａ〜２ｄはシリンダ体７の挿通孔７ａの縁とピストン体８の挿通孔８ｂの縁との間で圧接されて締め付け固定される。締め付け固定により締め具３は駐止位置に固定されて摺動しなくなる。
【００２２】
締め具３に挿通した４本の紐体２ａ〜２ｄを拡げると二つの輪が形成される。その二つの輪の中に携行品の被吊持部、例えばペットボトル１２の首部１３を図６に示すように挿入する。挿入した状態にて締め具３のピストン体８の頂部８ａを押圧して首部１３側に摺動させ輪を縮める。そしてペットボトル１２の首部１３を二つの紐の輪により締め付けた状態で押圧を止め、締め具３をその位置に固定させる。締め具３を首部１３側に摺動させる動作は、吊り紐体２の両端を結ぶ結び目５を片方の手で持って行なうとよい。そうすることでペットボトル１２の首部１３を固く締め付けることができる。
【００２３】
以上のような手順により、吊り紐体２が図７に示すようにペットボトル１２の首部１３に締め付け固定される。その状態で最初の二つ折り端２ｅを含む環状の紐体を吊持部として持ち上げる。持ち上げによりペットボトル１２は首部１３に固定された吊り紐体２によって吊り下げられた状態となる。
【００２４】
本実施形態のストラップ１では、最初の二つ折り端２ｅを含む吊持部の紐体の長さ（環の大きさ）を携帯に適した長さ（大きさ）に調整することができる。従って、ペットボトル１２の携帯の仕方、即ち、吊り紐体２を手に持って携帯するか、首に掛けて携帯するか、鞄やリュック等に吊り下げて携帯するか等に合わせてその長さ（大きさ）を自由に調整できる利点を有する。
【００２５】
また、図８はペットボトル１２の胴部１４を被吊持部としてストラップ１を締め付け固定した例である。本実施形態のストラップ１ではこのように被吊持部の周長が異なる場合でも、吊持部である最初の二つ折り端２ｅを含む紐体の長さを被吊持部の周長に関係なくその大きさを調整することができる。従って、吊り下げ長さを携帯に最適な長さに容易に調整できる利点を有する。
【００２６】
（第２の実施形態）
図９は、第２の実施形態に係るストラップ１ａの斜視図とその使用方法の説明図である。第１の実施形態に係るストラップ１では、図２に示したように両端を結んで細長い環状にした吊り紐体２を中程で更に二つ折りして締め具３の胴体の貫通孔６に挿通させた。これに対して本実施形態のストラップ１ａは図９に示すように、可撓性の吊り紐体２を二つ折りして折り側の２本の紐体を締め具３の貫通孔に挿通させた構成を採用している。締め具３の構成は図４に示したものと同じである。
【００２７】
携行品の被吊持部、例えばペットボトル１２の首部１３への取り付けは第１の実施形態の場合と同様であり、挿通した２本の紐体を拡げた輪の中にペットボトル１２の首部１３を挿入する。その状態でピストン体８の頂部８ａを押圧して締め具３を首部１３側に摺動させ、首部１３を締め付ける。締め付けた状態で押圧を止め、その位置に締め具３を固定させる。吊り紐体２の一端には予め外れ止め付フック２２を取り付けておき、他端には紐の抜け防止用の結び目５を締め付け前に設けておく。
【００２８】
外れ止め付フック２２はフック本体２４と外れ止め片２５とから構成されている。外れ止め片２５はフック本体２４の鉤部の湾曲方向と平行な面内で回動可能に取り付けられ、鉤部の開口を閉じる方向にばねで付勢されている。外れ止め片２５を鉤部の奥側へ回動させて開口を開かせ、鞄、リュック、ベルト等に設けられている引掛部に掛着させる。
【００２９】
本実施形態のストラップ１ａは外れ止め付フック２２を使用しているため、携行品を鞄、リュック、ベルト等の引掛部に簡単な操作で確実に吊り下げることができる。また、外れ止め付フック２２と締め具３との間の吊り下げ長さを携帯に適した長さに調整することができる。
【００３０】
（第３の実施形態）
本実施形態のストラップ１ｂは、基本的に第１の実施形態のストラップ１と同じ構成であるが、閉じた形状のストラップ取付孔を有する携行品をそのストラップ取付孔を利用して吊り下げ携帯する使い方をするストラップである。第１の実施形態のストラップ１とはストラップの取付方法が異なるのみであり、図１０を参照してその取付方法を説明する。
【００３１】
図１０において、３０の符号のある品はストラップ取付孔３１を有する携行品３０である。そのストラップ取付孔３１は閉じた形状の貫通孔であり、ストラップの紐を挿通させて固定するために準備されたものである。携行品３０は、例えば携帯電話機、携帯用ゲーム機、電子辞書、携帯型音楽再生機、電子手帳等である。
【００３２】
ストラップ１ｂは、二つ折りして両端を結ぶ結び目５を形成した細長い環状の吊り紐体２と、締め具３を備えて構成されている。締め具３の構成は図４に示したものと同じである。最初に吊り紐体２の二つ折り端２ｅ側の２本の紐を締め具３の胴体に穿設した貫通孔６に挿通させる。続いてその二つ折り端２ｅ側の２本の紐を携行品３０のストラップ取付孔３１に挿通させる。締め具３の貫通孔６や携行品３０のストラップ取付孔３１に吊り紐体２を通すには、図５に示したような割ピン１０を使用するとよい。
【００３３】
ストラップ取付孔３１に挿通させた後、更にその挿通させた２本の紐を締め具３の貫通孔６に最初とは反対側から挿通させる。この場合も図５に示したような割ピン１０を使用するとよい。その後、締め具３のピストン体８の頂部８ａを押圧して締め具３を摺動させ、吊り下げに適した位置にて押圧を止めて締め具３をその位置に固定させる。固定させた状態を図１１に示す。このような構成と取付方法により、閉じた形状のストラップ取付孔３１を有する携行品３０を吊り下げることができる。本実施形態のストラップ１ｂも第１、第２の実施形態のストラップ１、１ａと同様に、吊り下げ部の長さを吊り下げに適した任意の長さに調整できる利点を有する。
【００３４】
（第４の実施形態）
図１２は第４の実施形態に係るストラップ１ｃを、閉じた形状のストラップ取付孔３１を有する携行品に取り付けた状態を示したものである。本実施形態のストラップ１ｃは、第３の実施形態に係る図１１のストラップ１ｂの吊り下げ部にクリップ３２を追加取り付けしたものである。
【００３５】
図１３は、クリップ３２の取り付け方の説明図である。クリップ３２の取付孔３３に吊り下げ部の紐体２の輪を通す。通した後、輪を大きく拡げ、拡げた輪の中にクリップ３２の本体部分を通す。通した状態で吊り紐体２を引いて輪を縮め、図１２に示すようにクリップ３２を吊り紐体２に取着させる。取着したクリップ３２を衣服のポケットの端等に挟着させておくことで携行品３０の落下や紛失を防止することができる。
【００３６】
（第５の実施形態）
図１４は、第５の実施形態に係るストラップ１ｄとその使用方法の説明図である。前述の第４の実施形態に係るストラップ１ｃでは、図１２に示したように両端を結んで細長い環状にした吊り紐体２を用いてそれにクリップ３２を取り付けた。これに対して本実施形態のストラップ１ｄでは、一端に落下防止用のクリップ３２を予め取着した１本の可撓性の吊り紐体と締め具３を用いる。締め具３の構成は図４に示したものと同じである。
【００３７】
最初に吊り紐体２のクリップ３２が取着されていない側の端を締め具３の胴体に穿設した貫通孔６に挿通させる。続いてその端を携行品３０のストラップ取付孔３１に挿通させる。ストラップ取付孔３１に挿通させた後、更にその挿通させた端を締め具３の貫通孔６に最初とは反対側から挿通させる。この場合も図５に示したような割ピン１０を使用するとよい。
【００３８】
挿通させた後、紐の抜け防止用に結び目５を設ける。その後、締め具３を摺動させ、吊り下げに適した位置に固定させる。本実施形態のストラップ１ｄも第５の実施形態のストラップ１ｃと同様に、取着したクリップ３２を衣服のポケットの端等に挟着させておくことで携行品３０の落下や紛失を防止することができる。
【００３９】
（変形実施形態）
（その1）前記第１、第４の実施形態に係るストラップ１、１ｃでは、吊り紐体２の端に紐が締め具３の貫通孔６から抜けるのを防ぐための結び目５を設けた。このような結び目５を設ける代わりに、吊り紐体２の両端に抜け防止を兼ねる人形、動物などのキャラクター類を取り付けてもよい。図１５、図１６は、それぞれ第１、第４の実施形態に係るストラップ１、１ｃの吊り紐体２の両端に瓢箪形の装飾品を取り付けた例である。このようにキャラクター類を取り付ければ、美的感覚、おしゃれ感覚が増して携帯を楽しくさせる効果がもたらされる。更に、それらキャラクター類は携行品３０の所有者を識別するのに役立つ。
【００４０】
（その2）第１の実施形態のストラップ１では、図１に示したように二つの輪の中に携行品であるペットボトル１２の首部１３を挿入した。このように二つの輪でペットボトル１２の首部１３を締め付ける代わりに、図１７に示すように二つの輪を二重にして四重の輪を形成し、その中にペットボトル１２の首部１３を挿入して締め付けるようにしてもよい。このようにすれば、締め付けを更に確実にすることができる。図９に示した第２の実施形態のストラップ１ａの場合も、図１８に示すように輪を二重にしてその中にペットボトル１２の首部１３を挿入して締め付けるようにしてもよい。
【００４１】
（その3）締め具としては図３、図４に示したような胴体に貫通孔６を１個のみ有する構造のものに代えて、図１９に示すような貫通孔６を２個有するものを使用してもよい。この合は、各貫通孔６に紐を２本ずつ又は１本ずつ挿通する。
【図面の簡単な説明】
【００４２】
【図１】第１の実施形態に係るストラップ１の斜視図である。
【図２】吊り紐体２の外観図である。
【図３】締め具３の外観図である。
【図４】締め具３の縦断面図である。
【図５】割ピン１０の外観図である。
【図６】第１の実施形態に係るストラップ１の取付法の説明図である。
【図７】ストラップ１をペットボトル１２の首部１３に固定した図である。
【図８】ストラップ１をペットボトル１２の胴部１４に固定した図である。
【図９】第２の実施形態に係るストラップ１ａの構成と取付法の説明図である。
【図１０】第３の実施形態に係るストラップ１ｂの取付法の説明図である。
【図１１】第３の実施形態に係るストラップ１ｂを携行品３０に固定した図である。
【図１２】第４の実施形態に係るストラップ１ｃを携行品３０に固定した図である。
【図１３】クリップ３２の取り付け方の説明図である。
【図１４】第５の実施形態に係るストラップ１ｄを携行品３０に固定した図である。
【図１５】第１の実施形態に係るストラップ１の変形実施形態である。
【図１６】第３の実施形態に係るストラップ１ｂの変形実施形態である。
【図１７】第１の実施形態に係るストラップ１の変形実施形態である。
【図１８】第４の実施形態に係るストラップ１ｃの変形実施形態である。
【図１９】貫通孔６を２個有する締め具３ａの外観図である。
【図２０】従来技術に係るストラップの例である。
【符号の説明】
【００４３】
図面中、１、１ａ、１ｂ、１ｃ、１ｄはストラップ、２は吊り紐体、３は締め具、５は結び目、６は貫通孔、１２はペットボトル、１３は首部、２２は外れ止め付フック、３０は携行品、３１はストラップ取付孔、３２はクリップを示す。
【図１】
0003137706.tif 000003
【図２】
0003137706.tif 000004
【図３】
0003137706.tif 000005
【図４】
0003137706.tif 000006
【図５】
0003137706.tif 000007
【図６】
0003137706.tif 000008
【図７】
0003137706.tif 000009
【図８】
0003137706.tif 000010
【図９】
0003137706.tif 000011
【図１０】
0003137706.tif 000012
【図１１】
0003137706.tif 000013
【図１２】
0003137706.tif 000014
【図１３】
0003137706.tif 000015
【図１４】
0003137706.tif 000016
【図１５】
0003137706.tif 000017
【図１６】
0003137706.tif 000018
【図１７】
0003137706.tif 000019
【図１８】
0003137706.tif 000020
【図１９】
0003137706.tif 000021
【図２０】
0003137706.tif 000022